(57)【特許請求の範囲】
【請求項１】
排水処理装置であって、
第１水処理槽と第２水処理槽とを含む複数の水処理槽を収容する空間を形成する外壁と、
前記外壁によって形成される前記空間内で前記第１水処理槽と前記第２水処理槽との間を仕切る仕切壁と、
を備え、
前記仕切壁は、
前記第１水処理槽の内面の一部と前記第２水処理槽の内面の一部とを形成し、さらに、前記第１水処理槽と前記第２水処理槽とを連通する移流開口の縁の少なくとも一部である開口縁部を形成する主壁部と、
前記開口縁部の少なくとも一部から前記第２水処理槽側へ向かって突出する突出部と、
を含み、
前記仕切壁は、前記仕切壁の外周縁が前記仕切壁の内周側に向かって凹んだ部分である凹部を有し、
前記凹部と前記外壁との間の隙間が、前記移流開口に対応し、
前記移流開口の鉛直方向の長さは、前記移流開口の水平方向の長さよりも長く、
前記凹部の全体は、前記仕切壁の下端よりも高い位置に設けられている、
排水処理装置。
【請求項２】
請求項１に記載の排水処理装置であって、
前記移流開口は、前記第１水処理槽から前記第２水処理槽へ水が移流する開口である、
排水処理装置。
【請求項３】
請求項１または２に記載の排水処理装置であって
前記第１水処理槽と前記第２水処理槽のうち上流側の水処理槽を上流水処理槽と呼ぶときに、
前記上流水処理槽は、前記上流水処理槽へ流入する水を上方側から下方側へ導くバッフルを有し、
前記移流開口の上端は、前記バッフルの下端よりも高い位置に配置され、
前記移流開口の下端は、前記バッフルの下端よりも低い位置に配置されている、
排水処理装置。
【請求項４】
請求項１から３のいずれか１項に記載の排水処理装置であって、
前記仕切壁は、前記仕切壁の外周縁の全周に亘って設けられ前記第２水処理槽側へ突出する外周突出部を含み、
前記開口縁部から突出する前記突出部は、前記外周突出部の一部である、
排水処理装置。
【発明の詳細な説明】
【技術分野】
【０００１】
本開示は、排水を処理する排水処理装置に関する。
【背景技術】
【０００２】
従来から、微生物を利用して排水処理が行われている。そのような排水処理を行う排水処理装置としては、複数の水処理槽（例えば、嫌気濾床槽と接触曝気槽とを含む複数の水処理槽）を収容する装置が利用されている。複数の水処理槽を収容する排水処理装置内には、複数の水処理槽の間を仕切る仕切板（仕切壁とも呼ぶ）が設けられている。
【先行技術文献】
【特許文献】
【０００３】
【特許文献１】特開２００６−２７２０５３号公報
【発明の概要】
【発明が解決しようとする課題】
【０００４】
ところで、仕切壁が、仕切壁の一方側から他方側へ水を移流させるための移流開口を形成する場合がある。ところが、仕切壁が移流開口を形成する場合に、不具合が生じる場合があった。例えば、仕切壁の強度が低下する場合があった。
【０００５】
本開示は、仕切壁が移流開口を形成する場合の不具合を抑制できる技術を開示する。
【課題を解決するための手段】
【０００６】
本開示は、例えば、以下の態様または適用例を開示する。
［態様］
排水処理装置であって、
第１水処理槽と第２水処理槽とを含む複数の水処理槽を収容する空間を形成する外壁と、
前記外壁によって形成される前記空間内で前記第１水処理槽と前記第２水処理槽との間を仕切る仕切壁と、
を備え、
前記仕切壁は、
前記第１水処理槽の内面の一部と前記第２水処理槽の内面の一部とを形成し、さらに、前記第１水処理槽と前記第２水処理槽とを連通する移流開口の縁の少なくとも一部である開口縁部を形成する主壁部と、
前記開口縁部の少なくとも一部から前記第２水処理槽側へ向かって突出する突出部と、
を含み、
前記仕切壁は、前記仕切壁の外周縁が前記仕切壁の内周側に向かって凹んだ部分である凹部を有し、
前記凹部と前記外壁との間の隙間が、前記移流開口に対応し、
前記移流開口の鉛直方向の長さは、前記移流開口の水平方向の長さよりも長く、
前記凹部の全体は、前記仕切壁の下端よりも高い位置に設けられている、
排水処理装置。
【０００７】
［適用例１］
排水処理装置であって、
第１水処理槽と第２水処理槽とを含む複数の水処理槽を収容する空間を形成する外壁と、
前記外壁によって形成される前記空間内で前記第１水処理槽と前記第２水処理槽との間を仕切る仕切壁と、
を備え、
前記仕切壁は、
前記第１水処理槽の内面の一部と前記第２水処理槽の内面の一部とを形成し、さらに、前記第１水処理槽と前記第２水処理槽とを連通する移流開口の縁の少なくとも一部である開口縁部を形成する主壁部と、
前記開口縁部の少なくとも一部から前記第２水処理槽側へ向かって突出する突出部と、
を含む、排水処理装置。
【０００８】
この構成によれば、仕切壁が、開口縁部の少なくとも一部から第２水処理槽側へ向かって突出する突出部を含むので、仕切壁の強度が低下することを抑制できる。
【０００９】
［適用例２］
適用例１に記載の排水処理装置であって、
前記移流開口は、前記第１水処理槽から前記第２水処理槽へ水が移流する開口である、
排水処理装置。
【００１０】
この構成によれば、移流開口を通じて水が逆流することを突出部によって抑制しつつ、仕切壁の強度が低下することを抑制できる。
【００１１】
［適用例３］
適用例１または２に記載の排水処理装置であって、
前記仕切壁は、前記仕切壁の外周縁が前記仕切壁の内周側に向かって凹んだ部分である凹部を有し、
前記凹部と前記外壁との間の隙間が、前記移流開口に対応する、
排水処理装置。
【００１２】
この構成によれば、移流開口が主壁部に設けられた貫通孔である場合と比べて、仕切壁の強度が低下することを抑制できる。
【００１３】
［適用例４］
適用例３に記載の排水処理装置であって、
前記移流開口の鉛直方向の長さは、前記移流開口の水平方向の長さよりも長い、
排水処理装置。
【００１４】
この構成によれば、移流開口の鉛直方向の長さよりも移流開口の水平方向の長さが長い場合と比べて、移流開口が仕切壁の内側部分に向かって拡がることが抑制される。この結果、仕切壁の内側部分の設計の自由度を向上しつつ、仕切壁の強度が低下することを抑制できる。
【００１５】
［適用例５］
適用例１から４のいずれか１項に記載の排水処理装置であって
前記第１水処理槽と前記第２水処理槽のうち上流側の水処理槽を上流水処理槽と呼ぶときに、
前記上流水処理槽は、前記上流水処理槽へ流入する水を上方側から下方側へ導くバッフルを有し、
前記移流開口の上端は、前記バッフルの下端よりも高い位置に配置され、
前記移流開口の下端は、前記バッフルの下端よりも低い位置に配置されている、
排水処理装置。
【００１６】
この構成によれば、バッフルを通じて上流水処理槽に流入した水が、上流水処理槽内の更に深い位置を移動せずに、移流開口に到達可能である。この結果、上流水処理槽の底部に堆積した堆積物が撹拌されることを抑制しつつ、仕切壁の強度が低下することを抑制できる。
【００１７】
［適用例６］
適用例３に従属する場合の適用例４または５に記載の排水処理装置であって、
前記仕切壁は、前記仕切壁の外周縁の全周に亘って設けられ前記第２水処理槽側へ突出する外周突出部を含み、
前記開口縁部から突出する前記突出部は、前記外周突出部の一部である、
排水処理装置。
【００１８】
この構成によれば、外周突出部によって仕切壁の強度を向上できる。
【００１９】
なお、本明細書に開示の技術は、種々の形態で実現することが可能であり、例えば、仕切壁、仕切壁を備える排水処理装置、等の形態で実現することができる。
【図面の簡単な説明】
【００２０】
【図１】一実施例としての排水処理装置８００の処理フローを示す説明図である。
【図２】排水処理装置８００を横から見た概略構成図である。
【図３】排水処理装置８００の概略構成を示している。
【図４】排水処理装置８００の概略構成を示している。
【図５】外壁８０１と仕切壁９００との分解斜視図である。
【図６】仕切壁９００の斜視図である。
【図７】仕切壁９００を−Ｘ側から＋Ｘ方向を向いて見た概略図である。
【図８】移流開口８１４の近傍における水の流れを示す概略図である。
【図９】仕切壁の別の実施例を示す斜視図である。
【図１０】移流開口９９０Ｂの近傍における水の流れを示す概略図である。
【図１１】排水処理装置の変形例を示す概略図である。
【発明を実施するための形態】
【００２１】
Ａ．第１実施例：
図１は、一実施例としての排水処理装置８００の処理フローを示す説明図である。本実施例の排水処理装置８００は、一般家庭等からの排水の浄化処理を行う（このような装置は「浄化槽」とも呼ばれる）。排水処理装置８００は、複数のステップを経て浄化処理を行うために、複数の水処理槽を有している。図１の実施例では、排水処理装置８００は、上流（図１の左側）から順番に、夾雑物除去槽８１０、嫌気濾床槽８２０、接触濾床槽８３０、処理水槽８４０、消毒槽８５０の各水処理槽を、収容している。排水処理装置８００に流入した排水は、夾雑物除去槽８１０、嫌気濾床槽８２０、接触濾床槽８３０、処理水槽８４０、消毒槽８５０で順次処理された後に、排水処理装置８００の外部に放流される。以下、各水処理槽を流れる水を「被処理水」あるいは、単に「水」と呼ぶ。
【００２２】
図２は、排水処理装置８００を横から見た概略構成図である。図３は、図２中のＡ−Ａ断面から下方を向いて見た排水処理装置８００の概略構成を示している。図３の下部には、２つの部分説明図ＰＥ１、ＰＥ２が示されている。第１部分説明図ＰＥ１は、接触濾床槽８３０と処理水槽８４０とのそれぞれの壁を表す説明図である。第２部分説明図ＰＥ２は、水処理槽８１０〜８５０を収容する空間を形成する外壁８０１（「槽本体８０１」とも呼ぶ）と、夾雑物除去槽８１０と嫌気濾床槽８２０との間を仕切る仕切壁９００と、の接続部分の拡大図である。これらの部分の詳細については、後述する。図４は、図２中のＢ−Ｂ断面から夾雑物除去槽８１０側を向いて見た排水処理装置８００の概略構成を示している。これらの図中において、Ｚ方向は、鉛直方向の下方から上方へ向かう方向を示し、Ｘ方向は、排水処理装置８００の長手方向（水平な方向）を示し、Ｙ方向は、Ｘ方向とＺ方向とのそれぞれに直交する方向（水平な方向）を示している。以下、Ｘ方向を「＋Ｘ方向」とも呼び、Ｘ方向側を「＋Ｘ側」とも呼び、Ｘ方向の反対方向を「−Ｘ方向」とも呼び、−Ｘ方向側を「−Ｘ側」とも呼ぶ。Ｙ方向、Ｚ方向についても、同様である。
【００２３】
夾雑物除去槽８１０は、排水中の夾雑物を分離する水処理槽である。図２、図３に示すように、夾雑物除去槽８１０は、排水処理装置８００の最上流部に配置されている。流入口８０２からの排水（汚水とも呼ばれる）は、まず、夾雑物除去槽８１０に流入する。夾雑物除去槽８１０は、固液分離手段（本実施例では、流入バッフル８１２）を有しており、排水中の夾雑物を被処理水から分離する。本実施例の流入バッフル８１２は、夾雑物除去槽８１０に流入する水を、上方側から下方側へ導く流路を形成している。これにより、流入バッフル８１２は、夾雑物除去槽８１０に流入する水に含まれる固形物の流れる方向を、下流側の水処理槽である嫌気濾床槽８２０へ向かう方向（ここでは、＋Ｘ方向）ではなく、夾雑物除去槽８１０の底部に向けることができる。この結果、夾雑物除去槽８１０は、底部に固形物を堆積させることができる。
【００２４】
図２、図３に示すように、夾雑物除去槽８１０の＋Ｘ側の仕切壁９００は、槽本体８０１を、排水処理装置８００の長手方向（ここでは、Ｘ方向）に対しておおよそ垂直に、＋Ｘ側の部分と−Ｘ側の部分とに仕切る壁である。夾雑物が分離（除去）されたあとの水は、移流開口８１４を通じて、嫌気濾床槽８２０に移流する。
【００２５】
嫌気濾床槽８２０は、嫌気性微生物による嫌気処理を行う水処理槽である。嫌気濾床槽８２０は、嫌気性微生物が付着するための濾材８２２を有している。嫌気処理によって、被処理水中の有機物が分解される。また、濾材８２２は、被処理水中の浮遊物を捕捉し得る。
【００２６】
図２、図３に示すように、嫌気濾床槽８２０の下流側（＋Ｘ側）の仕切壁８０３は、槽本体８０１を、排水処理装置８００の長手方向（ここでは、Ｘ方向）に対しておおよそ垂直に、＋Ｘ側の部分と−Ｘ側の部分とに仕切る壁である。仕切壁８０３の反対側（＋Ｘ側）には、上から見て、仕切壁８０３から＋Ｘ側（図３中の右側）に突出する略Ｕ字状に配置された側壁部８４３、８４２、８４４が、固定されている。仕切壁８０３と側壁部８４３、８４２、８４４で囲まれる空間が、処理水槽８４０に相当する。仕切壁８０３と槽本体８０１とで囲まれる＋Ｘ側の空間のうちの、側壁部８４３、８４２、８４４の外側の空間は、接触濾床槽８３０に相当する。側壁部８４３、８４２、８４４の構成については、後述する。
【００２７】
仕切壁８０３における嫌気濾床槽８２０と接触濾床槽８３０との境界を成す部分には、移流開口８２４が形成されている（図２、図３）。移流開口８２４は、仕切壁８０３の上部に配置されており、通常時には、水面ＷＬは、この移流開口８２４の途中に位置する。後述するように、水面ＷＬは、低水位ＬＷＬと高水位ＨＷＬとの間で、変動し得る。嫌気濾床槽８２０で処理された水は、移流開口８２４を通じて、接触濾床槽８３０に移流する。
【００２８】
接触濾床槽８３０は、好気性微生物による好気処理を行う水処理槽である。図３に示すように、接触濾床槽８３０は、処理水槽８４０の三方（＋Ｙ方向、＋Ｘ方向、−Ｙ方向）を囲むように形成されている。図４に示すように、接触濾床槽８３０は、好気性微生物が付着するための接触材８３２、８３３を有している。第２接触材８３３は、第１接触材８３２の下に配置されている。これらの接触材８３２、８３３のそれぞれは、処理水槽８４０の両側（＋Ｙ側と−Ｙ側）に配置されている（図３、図４）。また、接触濾床槽８３０は、接触材８３２、８３３よりも下に配置された散気装置８３４を有している。散気装置８３４には、図示しないブロワー（送風機）が接続される。散気装置８３４は、ブロワーによって供給された空気を、接触濾床槽８３０内に供給する。好気性微生物は、空気に含まれる酸素を利用して、被処理水中の有機物を分解する。接触濾床槽８３０で処理された水は、接触濾床槽８３０の底部と処理水槽８４０の底部とを連通する移流開口８３６を通じて、処理水槽８４０に移流する。
【００２９】
処理水槽８４０は、接触濾床槽８３０から移流した水を一時的に滞留して、水中の固形物（例えば、汚泥や浮遊物質等）を沈降・分離する水処理槽である。処理水槽８４０は、底部から水が流入する上向流の水処理槽である。
【００３０】
図３の第１部分説明図ＰＥ１に示すように、鉛直方向の上から下を向いて見たときに、第２側壁部８４２は仕切壁８０３と対向し、第３側壁部８４３は第４側壁部８４４と対向する。第３側壁部８４３は、第２側壁部８４２の＋Ｙ側の端部８４２ｅ１と仕切壁８０３とを接続する。第４側壁部８４４は、第２側壁部８４２の−Ｙ側の端部８４２ｅ２と仕切壁８０３とを接続する。第３側壁部８４３と仕切壁８０３との接続部分８４３ｅと、第４側壁部８４４と仕切壁８０３との接続部分８４４ｅとのそれぞれは、仕切壁８０３の両端８０３ｅ１、８０３ｅ２よりも内側に配置されている。なお、仕切板８０３は、処理水槽８４０の−Ｘ側の側壁部（第１側壁部とも呼ぶ）を形成している。
【００３１】
図２に示すように、処理水槽８４０の下部分８４９は、いわゆるホッパー構造を有している（以下、この下部分８４９を「ホッパー部分８４９」とも呼ぶ）。ホッパー部分８４９では、第２側壁部８４２が鉛直方向に対して傾斜しており、処理水槽８４０の断面積（水平な断面積）は、底に近いほど小さい（第２側壁部８４２のうちの傾斜した部分８４２ｄを「傾斜部８４２ｄ」とも呼ぶ）。また、図４に示すように、ホッパー部分８４９の下部分８４９Ｌにおいては、さらに、第３側壁部８４３と第４側壁部８４４とのそれぞれも、鉛直方向に対して傾斜している（側壁部８４３、８４４のそれぞれの傾斜した部分も「傾斜部」と呼ぶことができる）。この下部分８４９Ｌは、いわゆる３面ホッパー構造を有している。処理水槽８４０において分離された固形物は、側壁部８４２、８４３、８４４によって、処理水槽８４０の底部（処理水槽８４０の上部よりも狭い空間）に集められる。
【００３２】
図２に示すように、仕切壁８０３の下端は、槽本体８０１の底面に接続されている。一方、図２、図４に示すように、側壁部８４２、８４３、８４４の下端は、槽本体８０１の底面から離れている。側壁部８４２、８４３、８４４の下端と、槽本体８０１の底面との間の隙間は、移流開口８３６に相当する。
【００３３】
図２に示すように、処理水槽８４０には、循環エアリフトポンプ８６０が設けられている。循環エアリフトポンプ８６０は、処理水槽８４０の底部から高水位ＨＷＬよりも上まで上方に向かって延びる第１移流管８６１と、第１移流管８６１の上部に接続されて、夾雑物除去槽８１０の上方まで、緩い下り勾配で延びる第２移流管８６３と、を有している。第１移流管８６１の底部側の端は吸入口８６２を形成している。第２移流管８６３の夾雑物除去槽８１０側の端は流出口８６４を形成している。第２移流管８６３は、流入バッフル８１２の孔を貫通しており、流出口８６４は、流入バッフル８１２内に配置されている。循環エアリフトポンプ８６０は、処理水槽８４０の底部から夾雑物除去槽８１０へ、固形物や水を移送（返送）する。上述したように、処理水槽８４０の下部分８４９はホッパー構造を有しているので、処理水槽８４０で分離された固形物は、底部（吸入口８６２の近傍）の狭い空間に集められる。その結果、分離された固形物の処理水槽８４０からの除去を容易に行うことができる。なお、循環エアリフトポンプ８６０は、上述した図示しないブロワーからの空気によって、駆動される。ブロワーからの空気の分配量は、図示しないバルブによって調整される。循環エアリフトポンプ８６０は定常的に駆動されてよい。また、循環エアリフトポンプ８６０を間欠駆動してもよい。
【００３４】
消毒槽８５０は、被処理水を消毒する水処理槽である。消毒槽８５０は、処理水槽８４０の上部に配置されている（図２）。本実施例では、消毒槽８５０は、放流エアリフトポンプ８７０を有している。放流エアリフトポンプ８７０の吸入口８７２は、処理水槽８４０内の低水位ＬＷＬの高さに配置されており、放流エアリフトポンプ８７０の流出口８７４は、消毒槽８５０の上流側に配置されている。処理水槽８４０の水面ＷＬ近傍の水（固形物が分離された水）は、吸入口８７２から放流エアリフトポンプ８７０に流入する。放流エアリフトポンプ８７０に流入した水は、放流エアリフトポンプ８７０の駆動によって、消毒槽８５０に少しずつ移送される。放流エアリフトポンプ８７０は、水位ＷＬが低水位ＬＷＬ以上である状態で、水を移送可能である。このように、通常の使用状態では、最も低い水位ＷＬは、低水位ＬＷＬである。このような低水位ＬＷＬは、設計上の最低水位ということができる。また、放流エアリフトポンプ８７０は、上述した図示しないブロワーからの空気によって、駆動される。ブロワーからの空気の分配量は、図示しないバルブによって調整される。
【００３５】
消毒槽８５０は、消毒剤（例えば、固形塩素剤）が充填された薬剤筒８５４を有している。消毒槽８５０において、被処理水は消毒剤と接触し、消毒剤によって被処理水が消毒される。消毒された水は、放流口８０４を通じて、排水処理装置８００の外部へ放流される。
【００３６】
一時的に大量の排水が排水処理装置８００に流入した場合には（例えば、ピーク流入時）、放流エアリフトポンプ８７０よりも上流側の水処理槽８１０、８２０、８３０、８４０の水位ＷＬは、一時的に、通常時の水位（図中の低水位ＬＷＬ）よりも上昇し得る。図２の実施例では、水位ＷＬは、高水位ＨＷＬまで、上昇し得る。水位ＷＬが高水位ＨＷＬを超えると、消毒槽８５０に設けられた図示しないオーバーフロー開口を通じて、処理水槽８４０から消毒槽８５０へ水がオーバーフローする。このように、通常の使用状態では、最も高い水位ＷＬは、高水位ＨＷＬである。このような高水位ＨＷＬは、設計上の最高水位ということができる。なお、単位時間当たりの流入水量が想定された範囲を超える場合には、一時的に水位が高水位ＨＷＬよりも高い位置まで上昇し得る。
【００３７】
このように、ピーク流入時には、複数の水処理槽８１０、８２０、８３０、８４０の水位が一時的に上昇することによって、接触濾床槽８３０からの単位時間当たりの流出量の増大が抑制される。この結果、接触濾床槽８３０から未処理の水が流出する可能性を低減できる。このように、放流エアリフトポンプ８７０は、ピーク流入に起因する接触濾床槽８３０からの単位時間当たりの流出量の増大を抑制する機構（「ピークカット機構」と呼ぶ）として、動作する。
【００３８】
図５は、外壁８０１と仕切壁９００との分解斜視図である。外壁８０１は、上部槽８０１ｕと下部槽８０１ｄとを有している。下部槽８０１ｄは、外壁８０１の下側の部分を形成するカップ状の部材である。下部槽８０１ｄの上側の縁には、全周に亘るフランジ１００ｄが設けられている。上部槽８０１ｕは、外壁８０１の上側の部分を形成するカップ状の部材であり、上に凸の状態で、下部槽８０１ｄの上に配置される。上部槽８０１ｕは、流入口８０２と、複数のマンホール開口８０５と、放流口８０４（図５中では、放流口８０４は、後ろに隠れている）と、を有している。また、上部槽８０１ｕの下側の縁には、全周に亘るフランジ１００ｕが設けられている。排水処理装置８００の製造時には、下部槽８０１ｄに各水処理槽８１０〜８５０の部材が取り付けられる。そして、下部槽８０１ｄの上から、上部槽８０１ｕが被せられる。下部槽８０１ｄのフランジ１００ｄ上に、上部槽８０１ｕのフランジ１００ｕが重なった状態で、上部槽８０１ｕが下部槽８０１ｄに固定される（例えば、接着剤でフランジ１００ｕ、１００ｄが接着される）。このように、上部槽８０１ｕと下部槽８０１ｄとによって囲まれる空間内に、水処理槽８１０〜８５０が収容される。
【００３９】
また、下部槽８０１ｄは、内側に向かって突出する２つの凸部２１０ｄ、２２０ｄを有している。第２凸部２２０ｄは、第１凸部２１０ｄよりも＋Ｘ側に配置されている。凸部２１０ｄ、２２０ｄは、それぞれ、Ｘ方向に垂直に、フランジ１００ｄの＋Ｙ側の部分から、下部槽８０１ｄの底部を経由して、フランジ１００ｄの−Ｙ側の部分へ至る、連続な突出部分である。下部槽８０１ｄに凸部２１０ｄ、２２０ｄを設けることによって、下部槽８０１ｄの強度を向上できる。以下、下部槽８０１ｄのうち凸部２１０ｄ、２２０ｄ以外の部分２００ｄを、「主壁部２００ｄ」とも呼ぶ。
【００４０】
上部槽８０１ｕも、凸部２１０ｕ、２２０ｕを有している。第１凸部２１０ｕは、下部槽８０１ｄの第１凸部２１０ｄの上方側に接続される突出部分であり、Ｘ方向に垂直に、フランジ１００ｕから上部槽８０１ｕの最上部の手前まで延びている。第１凸部２１０ｕは、上部槽８０１ｕの−Ｙ側の側壁部に形成される部分と、＋Ｙ側の側壁部に形成される部分（上部槽８０１ｕの後ろに隠れて図示されていない）と、を含んでいる。第２凸部２２０ｕは、下部槽８０１ｄの第２凸部２２０ｄの上方側に接続される突出部分である。第２凸部２２０ｕの構成は、第１凸部２１０ｕの構成と、同じである。上部槽８０１ｕに凸部２１０ｕ、２２０ｕを設けることによって、上部槽８０１ｕの強度を向上できる。以下、上部槽８０１ｕのうち凸部２１０ｕ、２２０ｕ以外の部分２００ｕを、「主壁部２００ｕ」とも呼ぶ。
【００４１】
第１凸部２１０ｄ、２１０ｕの＋Ｘ側の内面には、仕切壁９００が固定される。図２にも示すように、仕切壁９００は、上部槽８０１ｕと下部槽８０１ｄと（すなわち、槽本体８０１）によって形成される空間を、＋Ｘ側の部分と−Ｘ側の部分とに仕切っている。
【００４２】
図６は、仕切壁９００の斜視図である。図６（Ａ）は、仕切壁９００の−Ｘ側を示し、図６（Ｂ）は、仕切壁９００の＋Ｘ側を示している。また、図７は、仕切壁９００を−Ｘ側から＋Ｘ方向を向いて見た概略図である。図７中の太線は、外壁８０１の内面８０１ｓを示している。
【００４３】
図６に示すように、仕切壁９００は、Ｘ方向におおよそ垂直な方向に延びる板状の部材である。仕切壁９００の−Ｙ側には、外周縁が内周側に向かって凹んだ部分である凹部９９０が形成されている。図７に示すように、仕切壁９００の外周縁は、凹部９９０を除いて、槽本体８０１の内面８０１ｓに接合されている。図中では、凹部９９０と外壁８０１の内面８０１ｓとの間の隙間に、ハッチングが付されている。この隙間が、移流開口８１４（図２、図３）に対応している。このように、移流開口８１４は、仕切壁９００の貫通孔ではなく、凹部９９０と槽本体８０１とによって形成されているので、移流開口８１４が仕切壁９００の貫通孔によって形成される場合と比べて、仕切壁９００の強度が低下することを抑制できる。また、仕切壁９００に移流開口のための貫通孔を開ける作業を省略できるので、仕切壁９００の製造を容易にできる。また、貫通孔を開ける場合に生じる材料のロスを防止できる。また、移流開口のための貫通孔を開ける場合と比べて、仕切壁９００に対する移流開口の位置ズレを抑制できる。
【００４４】
また、図６（Ｂ）に示すように、仕切壁９００は、Ｘ方向におおよそ垂直に拡がる主壁部９１０と、主壁部９１０の外周縁に設けられ＋Ｘ側へ突出する突出部９３０と、を有している。主壁部９１０の−Ｘ側の面（図６（Ａ））は、夾雑物除去槽８１０の内面のうち＋Ｘ側の部分を形成する。主壁部９１０の＋Ｘ側の面（図６（Ｂ））は、嫌気濾床槽８２０の内面のうち−Ｘ側の部分を形成する。また、主壁部９１０のうち凹部９９０の縁を形成する部分９９２は、移流開口８１４の縁の一部を形成している（以下、「開口縁部９９２」とも呼ぶ）。突出部９３０は、主壁部９１０の縁から突出しており、また、仕切壁９００の外周縁の全周に亘って設けられている（以下、突出部９３０を「外周突出部９３０」とも呼ぶ）。
【００４５】
図中の突出部９３９は、外周突出部９３０のうち、開口縁部９９２に接続される部分である。このように、仕切壁９００は、移流開口８１４の縁の一部である開口縁部９９２から突出する突出部９３９を有している。この突出部９３９は、仕切壁９００の拡がる方向（ここでは、Ｘ方向に垂直な方向）に交差する方向側（ここでは、＋Ｘ側）に突出している。従って、仕切壁９００が、凹部９９０のように仕切壁９００の一部が欠けたような形状を有する場合であっても、仕切壁９００（特に、凹部９９０の近傍）の強度が低下することを抑制できる。例えば、仕切壁９００が水圧で変形することを抑制できる。
【００４６】
また、移流開口８１４が小さい場合には、ピーク流入時に、移流開口８１４の上流側の水処理槽（ここでは、夾雑物除去槽８１０）の水位が意図せず上昇する場合がある。移流開口８１４を通る水の移流をスムーズに行って意図しない水位上昇を抑制するために、大きな移流開口８１４が採用される場合がある。一般的には、移流開口８１４が大きいほど、仕切壁９００の強度が低下し易い。本実施例では、仕切壁９００の移流開口８１４の近傍が突出部９３９によって補強されている。従って、仕切壁９００の強度が低下することを抑制しつつ、移流開口８１４を大きくできる。
【００４７】
また、突出部９３９は、凹部９９０の全体（すなわち、開口縁部９９２の全体）に亘って設けられている。従って、突出部９３９が開口縁部９９２の一部のみに設けられている場合と比べて、仕切壁９００の強度を向上できる。
【００４８】
また、外周突出部９３０は、仕切壁９００の外周縁の全周に亘って設けられている。そして、外周突出部９３０は、仕切壁９００の拡がる方向に交差する方向側に突出している。従って、仕切壁９００の全体の強度を向上できる。また、開口縁部９９２から突出する突出部９３９は、外周突出部９３０の一部である。従って、突出部９３９を外周突出部９３０とは別に成形せずに済むので、仕切壁９００を容易に製造できる。
【００４９】
図３の第２部分説明図ＰＥ２には、仕切壁９００と下部槽８０１ｄとの−Ｙ側の接続部分が拡大して示されている。第２部分説明図ＰＥ２には、Ｚ方向に垂直な断面が示されている。下部槽８０１ｄの第１凸部２１０ｄは、第１部分２１２と内部分２１４と第２部分２１６とを有している。これらの部分２１２、２１４、２１６は、−Ｘ側から＋Ｘ側に向かって、この順番に接続されている。これらの部分２１２、２１４、２１６は、内側（ここでは、＋Ｙ側）に向かって徐々に細くなるテーパ状の凸部を形成している。具体的には、内部分２１４は、第１凸部２１０ｄのうちの最も内側（ここでは、＋Ｙ側）の部分である。第１部分２１２は、内部分２１４の−Ｘ側の端部２１４ｅ１から、Ｘ方向に対して斜めに−Ｘ側に向かって延びて、主壁部２００ｄに至る。第２部分２１６は、内部分２１４の＋Ｘ側の端部２１４ｅ２から、Ｘ方向に対して斜めに＋Ｘ側に向かって延びて、主壁部２００ｄに至る。
【００５０】
仕切壁９００の外周突出部９３０は、第１部分９３１と第２部分９３２とを有している。これらの部分９３１、９３２は、主壁部９１０の−Ｙ側の端部９１０ｅから、複数の段階を経て＋Ｘ側に向かって曲がる突出部９３０を形成している。具体的には、第１部分９３１は、主壁部９１０の端部９１０ｅから、Ｘ方向に対して斜めに、＋Ｘ側かつ−Ｙ側に向かって延びて、第２部分９３２に至る。第２部分９３２は、第１部分９３１の＋Ｘ側の端部９３１ｅから、Ｘ方向に対して斜めに、＋Ｘ側かつ−Ｙ側に向かって延びている。第２部分９３２の延びる方向は、第１部分９３１の延びる方向と比べて、Ｘ方向に近い。
【００５１】
外周突出部９３０の第１部分９３１は、第１凸部２１０ｄの第２部分２１６に対向している。また、外周突出部９３０の第２部分９３２は、下部槽８０１ｄの主壁部２００ｄに対向している。この状態で、仕切壁９００は、下部槽８０１ｄ（ひいては、槽本体８０１）に固定される。仕切壁９００を槽本体８０１に固定する方法としては、任意の方法を採用可能である。例えば、リベットを用いて、仕切壁９００を槽本体８０１に固定してもよい。この場合、槽本体８０１の凸部２１０ｄ、２２０ｄ、２１０ｕ、２２０ｕと、仕切壁９００とが接する部分をリベットで固定してもよい。例えば、仕切壁９００の第１部分９３１と下部槽８０１ｄの第２部分２１６とを貫通するように、リベットを取り付けてもよい。この代わりに、接着剤を用いて、仕切壁９００を槽本体８０１に固定してもよい。いずれの場合も、仕切壁９００を槽本体８０１の凸部２１０ｄ、２２０ｄ、２１０ｕ、２２０ｕに固定すれば、槽本体８０１の対する仕切壁９００の位置のズレを抑制できる。ただし、仕切壁９００を、凸部２１０ｄ、２２０ｄ、２１０ｕ、２２０ｕから離れた主壁部２００ｄ、２００ｕに固定してもよい。
【００５２】
また、仕切壁９００と槽本体８０１との接合部分は、シーリング材（例えば、シリコン系のシーリング材）でシールされる。例えば、仕切壁９００の第１部分９３１と下部槽８０１ｄの第２部分２１６との間は、シーリング材でシールされる。なお、接合部分の一部または全部において、シーリング材が省略されてもよい。例えば、高水位ＨＷＬよりも高い部分では、シーリング材が省略されてもよい。
【００５３】
図８は、移流開口８１４の近傍における水の流れを示す概略図である。図中には、Ｚ方向に垂直な断面が示されている。水処理槽内では、種々の方向の水の流れが生じ得る。そして、水の流れが壁に衝突する場合がある。このような場合、水は、壁に沿って流れ得る。図８中の流れＦ１、Ｆ２、Ｆ３は、壁に沿って移動する水の流れの例を示している。
【００５４】
第１流Ｆ１は、夾雑物除去槽８１０内において、外壁８０１に沿って移流開口８１４に近づく水の流れを示している。このような水は、移流開口８１４を通り抜けて、嫌気濾床槽８２０に移流する。
【００５５】
第２流Ｆ２は、夾雑物除去槽８１０内において、仕切壁９００の主壁部９１０に沿って移流開口８１４に近づく水の流れを示している。このような水は、移流開口８１４を通り抜けて、嫌気濾床槽８２０に移流し得る。
【００５６】
第３流Ｆ３は、嫌気濾床槽８２０内において、仕切壁９００の主壁部９１０に沿って移流開口８１４に近づく水の流れを示している。本実施例では、主壁部９１０の開口縁部９９２には、嫌気濾床槽８２０側に向かって突出する突出部９３９が接続されている。水の流れは、突出部９３９によって、突出部９３９の突出する方向（ここでは、＋Ｘ方向）に向けられる。突出部９３９の突出する方向は、開口縁部９９２から嫌気濾床槽８２０側に向かう方向であり、移流開口８１４を通じて上流側の夾雑物除去槽８１０へ向かう方向とは反対側の方向である。従って、第３流Ｆ３が示すように、水は、移流開口８１４を通じて夾雑物除去槽８１０へ移流せずに、移流開口８１４から離れる方向に流れる。この結果、移流開口８１４を通じて上流側（ここでは、夾雑物除去槽８１０側）へ水が逆流することを抑制できる。また、本実施例では、開口縁部９９２の全体に亘って、突出部９３９が設けられている。従って、移流開口８１４から見て種々の方向から主壁部９１０に沿って水が近づく場合であっても、移流開口８１４を通じて水が逆流することを抑制できる。
【００５７】
また、図７には、移流開口８１４の大きさを示す２つの長さＬＶ、ＬＨが示されている。第１長ＬＶは、鉛直方向の長さであり、第２長ＬＨは、水平方向の長さである。本実施例では、ＬＶ＞ＬＨである。従って、移流開口８１４が仕切壁９００の内側部分に向かって拡がることが抑制される。この結果、仕切壁９００の内側部分の設計の自由度を向上できる。例えば、仕切壁９００の中央部分の夾雑物除去槽８１０側の面に、第２移流管８６３からの循環水を下方側へ導くバッフルを固定してもよい。
【００５８】
また、図２に示すように、本実施例では、移流開口８１４の上端８１４ｕは、流入バッフル８１２の下端８１２ｄよりも高い位置に配置され、移流開口８１４の下端８１４ｄは、流入バッフル８１２の下端８１２ｄよりも低い位置に配置されている。従って、流入バッフル８１２を通じて夾雑物除去槽８１０に流入した水が、夾雑物除去槽８１０内の更に深い位置を移動せずに、移流開口８１４に到達可能である。この結果、夾雑物除去槽８１０の底部に堆積した堆積物（例えば、汚泥など）が夾雑物除去槽８１０内を移動する水によって撹拌されることを抑制できる。
【００５９】
また、図３に示すように、本実施例では、下方を向いて見る場合に、仕切壁９００の主壁部９１０は、Ｙ方向に平行である（以下、下方を向いて見る場合に主壁部９１０に平行な方向を「主壁方向」とも呼ぶ）。凹部９９０（すなわち、移流開口８１４）は、仕切壁９００の主壁方向の端に形成されている（ここでは、−Ｙ側の端）。また、流入バッフル８１２の主壁方向（ここでは、Ｙ方向）の位置は、夾雑物除去槽８１０の主壁方向の端から内側に離れた位置である（本実施例では、夾雑物除去槽８１０内のおおよそ中央の位置）。従って、移流開口８１４が仕切壁９００の主壁方向の端よりも内側（例えば、夾雑物除去槽８１０内の主壁方向の中央の位置）に形成されている場合と比べて、流入バッフル８１２と移流開口８１４との間の水平距離を長くできる。この結果、流入バッフル８１２から夾雑物除去槽８１０へ流入する水に含まれる夾雑物が、夾雑物除去槽８１０の底部に沈降せずに、移流開口８１４に到達することを抑制できる。すなわち、夾雑物除去槽８１０の夾雑物分離能力を向上できる。
【００６０】
なお、仕切壁９００は、例えば、成形型を用いる成形によって製造される（例えば、ハンドレイアップ成形、スプレーアップ成形、射出成形など）。仕切壁９００の材料としては、例えば、繊維強化プラスチック（FRP）、ジシクロペンタジエン等の種々の樹脂を採用可能である。成形を容易に行うためには、外周突出部９３０を主壁部９１０から突出する方向に向かって辿る場合に、徐々に外側に向かって拡がっていることが好ましい。この構成によれば、１回の成形で仕切壁９００の全体を成形した後に、容易に離型できる。ただし、仕切壁９００が、複数回の成形によって一部分ずつ成形されてもよい。
【００６１】
Ｂ．第２実施例：
図９は、仕切壁の別の実施例を示す斜視図である。図９（Ａ）は、仕切壁９００Ｂの−Ｘ側を示し、図９（Ｂ）は、仕切壁９００Ｂの＋Ｘ側を示している。図６の仕切壁９００との差異は、凹部９９０が省略され、この代わりに、貫通孔９９０Ｂが設けられている点だけである。仕切壁９００Ｂの他の部分の構成は、仕切壁９００の対応する部分の構成と同じである。この仕切壁９００Ｂは、図６の仕切壁９００の代わりに、適用可能である。
【００６２】
仕切壁９００Ｂは、主壁部９１０Ｂと、外周突出部９３０Ｂと、貫通孔９９０Ｂと、突出部９３９Ｂと、を有している。主壁部９１０Ｂは、図６の主壁部９１０と同じく、Ｘ方向におおよそ垂直な方向に拡がる壁部である。主壁部９１０Ｂの−Ｘ側の面（図９（Ａ））は、夾雑物除去槽８１０の内面のうち＋Ｘ側の部分を形成する。主壁部９１０Ｂの＋Ｘ側の面（図９（Ｂ））は、嫌気濾床槽８２０の内面のうち−Ｘ側の部分を形成する。外周突出部９３０Ｂは、図６の外周突出部９３０と同じく、仕切壁９００Ｂの外周縁に設けられ＋Ｘ側へ突出している。外周突出部９３０Ｂは、主壁部９１０Ｂの縁から突出しており、また、仕切壁９００Ｂの外周縁の全周に亘って設けられている。
【００６３】
貫通孔９９０Ｂは、主壁部９１０Ｂのうち、図６の凹部９９０の位置に近い位置に設けられている。また、貫通孔９９０Ｂは、仕切壁９００Ｂの外周縁から内側に離れた位置に、設けられている。そして、貫通孔９９０Ｂは、図２、図３の移流開口８１４の代わりに、夾雑物除去槽８１０から嫌気濾床槽８２０へ水を移流させる移流開口として、機能する。以下、貫通孔９９０Ｂを、「移流開口９９０Ｂ」とも呼ぶ。また、主壁部９１０Ｂのうち貫通孔９９０Ｂの縁を形成する環状の部分９９２Ｂは、移流開口９９０Ｂの縁の全体を形成している（以下、「開口縁部９９２Ｂ」とも呼ぶ）。
【００６４】
突出部９３９Ｂは、移流開口９９０Ｂの開口縁部９９２Ｂから＋Ｘ側（すなわち、嫌気濾床槽８２０側）に突出している。突出部９３９Ｂは、仕切壁９００Ｂの拡がる方向（ここでは、Ｘ方向に垂直な方向）に交差する方向側（ここでは、＋Ｘ側）に突出している。従って、仕切壁９００Ｂが、貫通孔９９０Ｂのように仕切壁９００Ｂの一部が欠けたような形状を有する場合であっても、仕切壁９００Ｂ（特に、貫通孔９９０Ｂの近傍）の強度が低下することを抑制できる。また、突出部９３９Ｂは、移流開口９９０Ｂの開口縁部９９２Ｂの全周に亘って設けられている。従って、突出部９３９Ｂが移流開口９９０Ｂの開口縁部９９２Ｂの一部のみに設けられている場合と比べて、仕切壁９００Ｂの強度を向上できる。
【００６５】
また、移流開口９９０Ｂの上端９９０Ｂｕは、流入バッフル８１２（図２）の下端８１２ｄよりも高い位置に配置されている。そして、移流開口９９０Ｂの下端９９０Ｂｄは、流入バッフル８１２の下端８１２ｄよりも低い位置に配置されている。従って、流入バッフル８１２を通じて夾雑物除去槽８１０に流入した水が、夾雑物除去槽８１０内の更に深い位置を移動せずに、移流開口９９０Ｂに到達可能である。この結果、夾雑物除去槽８１０の底部に堆積した堆積物（例えば、汚泥など）が夾雑物除去槽８１０内を移動する水によって撹拌されることを抑制できる。
【００６６】
図１０は、移流開口９９０Ｂの近傍における水の流れを示す概略図である。図中には、Ｚ方向に垂直な断面が示されている。図１０中の流れＦ１１〜Ｆ１４は、壁に沿って移動する水の流れの例を示している。
【００６７】
第１流Ｆ１１と第２流Ｆ１２とは、夾雑物除去槽８１０内において、主壁部９１０Ｂに沿って移流開口９９０Ｂに近づく水の流れを示している。このような水は、移流開口９９０Ｂを通り抜けて、嫌気濾床槽８２０に移流し得る。
【００６８】
第３流Ｆ１３と第４流Ｆ１４とは、嫌気濾床槽８２０内において、主壁部９１０Ｂに沿って移流開口９９０Ｂに近づく水の流れを示している。本実施例では、主壁部９１０Ｂの開口縁部９９２Ｂには、嫌気濾床槽８２０側に向かって突出する突出部９３９Ｂが接続されている。水の流れは、突出部９３９Ｂによって、突出部９３９Ｂの突出する方向（ここでは、＋Ｘ方向）に向けられる。突出部９３９Ｂの突出する方向は、開口縁部９９２Ｂから嫌気濾床槽８２０側に向かう方向であり、移流開口９９０Ｂを通じて上流側の夾雑物除去槽８１０へ向かう方向とは反対側の方向である。従って、第３流Ｆ１３と第４流Ｆ１４とが示すように、水は、移流開口９９０Ｂを通じて夾雑物除去槽８１０へ移流せずに、移流開口９９０Ｂから離れる方向に流れる。この結果、移流開口９９０Ｂを通じて上流側（ここでは、夾雑物除去槽８１０側）へ水が逆流することを抑制できる。また、本実施例では、開口縁部９９２Ｂの全体に亘って、突出部９３９Ｂが設けられている。従って、移流開口９９０Ｂから見て種々の方向から主壁部９１０Ｂに沿って水が近づく場合であっても、移流開口９９０Ｂを通じて水が逆流することを抑制できる。
【００６９】
Ｃ．変形例：
（１）仕切壁の開口縁部に設けられる突出部の構成としては、上記の構成に代えて、他の種々の構成を採用可能である。例えば、開口縁部の一部分のみに突出部が設けられていても良い。また、仕切壁の外周縁に設けられる外周突出部の突出方向が、開口縁部から突出する突出部の突出方向とは反対側の方向であってもよい。例えば、凸部２１０ｄ（図３）の−Ｘ側の内面に仕切壁が固定される場合、仕切壁９００、９００Ｂ（図６、図９）の外周突出部９３０、９３０Ｂが−Ｘ側に突出していてもよい。この場合も、開口縁部９９２、９９２Ｂから突出する突出部９３９、９３９Ｂは、下流側の水処理槽側（ここでは、＋Ｘ側）に突出することが好ましい。ただし、開口縁部から上流側の水処理槽側に突出部が突出してもよい。
【００７０】
図１１は、排水処理装置の変形例を示す概略図である。図中には、図８と同様に移流開口８１４Ｃの近傍のＺ方向に垂直な断面が示されている。この排水処理装置８００Ｃでは、図６で説明した仕切壁９００が、図５で説明した槽本体８０１の第１凸部２１０ｄ、２１０ｕの−Ｘ側の面（例えば、図３の第２部分説明図ＰＥ２中の凸部２１０ｄの第１部分２１２の内面）に固定されている。また、図３の実施例とは異なり、仕切壁９００の向きは、Ｚ方向を回転軸として１８０度回転している。従って、仕切壁９００の凹部９９０は、仕切壁９００の＋Ｙ側の端に位置する。そして、仕切壁９００の凹部９９０は、凹部９９０と槽本体８０１とで囲まれる移流開口８１４Ｃを形成する。夾雑物除去槽８１０からの水は、矢印Ｆ２０のように、移流開口８１４Ｃを通って、嫌気濾床槽８２０へ流入する。この変形例では、仕切壁９００の外周突出部９３０は、−Ｘ側、すなわち、移流開口８１４Ｃから上流側の夾雑物除去槽８１０側に、突出している。このように、外周突出部が、開口縁部から上流側の水処理槽側へ向かって突出してもよい。
【００７１】
また、開口縁部から突出する突出部の突出する方向（すなわち、突出部の延びる方向）は、主壁部に垂直な方向（例えば、図６の主壁部９１０に垂直な＋Ｘ方向）であってもよく、主壁部に垂直な方向に対して斜めに傾斜した方向であってもよい。
【００７２】
（２）仕切壁によって形成される移流開口の構成としては、上記の構成に代えて、他の種々の構成を採用可能である。例えば、移流開口の上端と下端とが（すなわち、移流開口の全体が）、仕切壁の上流側の水処理槽の流入バッフルの下端（例えば、図２の流入バッフル８１２の下端８１２ｄ）よりも高い位置に配置されるように、仕切壁が構成されてもよい。また、移流開口の上端と下端とが（すなわち、移流開口の全体が）、仕切壁の上流側の水処理槽の流入バッフルの下端（例えば、図２の下端８１２ｄ）よりも低い位置に配置されるように、仕切壁が構成されてもよい。また、移流開口の水平方向の長さが鉛直方向の長さよりも長くなるように、仕切壁が構成されてもよい。例えば、図７の実施例で、ＬＨ＞ＬＶであってもよい。
【００７３】
いずれの場合も、移流開口の下端は、設計上の最低水位以下の高さに配置されていることが好ましい。この構成によれば、エアリフトポンプなどの動力を用いる移送手段を用いずに、移流開口を通じて水を自然に移送できる。移流開口の上端は、設計上の最低水位以下の高さに配置されてもよく、設計上の最高水位以上の高さに配置されてもよい。また、移流開口の位置としては、仕切壁の外周縁に近い位置に代えて、他の任意の位置を採用可能である。例えば、仕切壁の中央部分に移流開口が形成されてもよい。なお、移流開口の上端と下端と鉛直方向の長さと水平方向の長さとは、主壁部に垂直な方向を向いて移流開口を見る場合に仕切壁の上流側から下流側へ貫通している領域に基づいて特定すればよい。
【００７４】
（３）仕切壁の外周縁に設けられる外周突出部の構成としては、上記の構成に代えて、他の種々の構成を採用可能である。例えば、仕切壁の外周縁の全周のうち一部分のみに外周突出部が設けられていても良い。例えば、設計上の最高水位よりも高い位置では、外周突出部を省略してもよい。また、外周突出部の全体を省略してもよい。
【００７５】
（４）仕切壁の構成としては、上記の構成に代えて、他の種々の構成を採用可能である。例えば、仕切壁と他の壁（例えば、槽本体）とが接合される場合に、設計上の最高水位よりも高い位置では、仕切壁と他の壁との間に隙間があいていてもよい。また、仕切壁は、排水処理装置の外壁（槽本体）に限らず、他の壁（例えば、他の仕切壁）に接合されてもよい。また、移流開口に連通する流路を形成するバッフルが仕切壁に固定されてもよい。また、仕切壁は、１つの連続な部材である代わりに、複数の部材を接合して構成されてもよい。ただし、仕切壁の全体が１つの連続な部材によって構成されていることが好ましい。こうすれば、仕切壁の強度を向上できる。
【００７６】
（５）仕切壁の上流側の水処理槽に設けられる流入バッフルの構成としては、上記の構成に代えて、水を上方側から下方側へ導く他の種々の構成を採用可能である。例えば、流入バッフルから水が流出する流出口が、図２の流入バッフル８１２のように底部ではなく、流入バッフルの側面に設けられていてもよい。いずれの場合も、流入バッフルから流出する水は、流入バッフルの下端よりも下方に移動し得る。従って、流入バッフルから移流開口に移動する水が底部に堆積した堆積物（例えば、汚泥）を撹拌することを抑制するためには、仕切壁によって形成される移流開口が、流入バッフルの下端よりも高い位置から流入バッフルの下端よりも低い位置まで拡がっていることが好ましい。換言すれば、移流開口の上端は、流入バッフルの下端よりも高い位置に配置され、移流開口の下端は、流入バッフルの下端よりも低い位置に配置されていることが好ましい。なお、流入バッフルを省略してもよい。
【００７７】
（６）排水処理装置の外壁（槽本体）の構成としては、図５に示す槽本体８０１の構成に代えて、複数の水処理槽を収容する空間を形成する他の種々の構成を採用可能である。例えば、排水処理装置の外壁は、水平な方向に延びる円筒状の胴部と、胴部の両端を塞ぐ２つのキャップ部と、で構成されてもよい。
【００７８】
（７）排水処理装置の構成としては、上記の構成に代えて、他の種々の構成を採用可能である。例えば、夾雑物除去槽８１０に嫌気濾材が充填されてもよい。また、接触濾床槽８３０に代えて、微生物を保持する担体が流動する担体流動槽を採用してもよい。また、仕切壁９００の中央部分の夾雑物除去槽８１０側の面に、他の水処理槽を固定してもよい。他の水処理槽としては、例えば、鉄電極を用いて水中に鉄イオンを溶出させ、鉄とリンとの不溶性の化合物を生成して沈殿させることによって、排水処理装置から放流される水のリン酸イオンの濃度を低減するリン除去槽を採用してもよい。
【００７９】
また、ピークカット機構としては、図２の実施例の放流エアリフトポンプ８７０に限らず、種々の構成を採用可能である。例えば、排水処理装置が、好気処理部（例えば、接触濾床槽８３０）と、原水を受け入れて、受け入れた原水を好気処理部へ供給するための前段処理部（図１の実施例では、夾雑物除去槽８１０と嫌気濾床槽８２０との全体）とを有する場合には、前段処理部から好気処理部へ被処理水を少量ずつ移送するエアリフトポンプを採用可能である。また、前段処理部から好気処理部への単位時間当たりの移流量を制限する堰（例えば、Ｖ型堰や小孔）を採用してもよい。このようなピークカット機構を設けることによって、好気処理部から未処理の水が流出する可能性を低減できる。ただし、ピークカット機構が省略されてもよい。この場合、排水処理装置の各水処理槽内では、通常の使用状態では、水位は、変動せずにおおよそ一定である。このような一定の水位は、設計上の最高水位ということができる。
【００８０】
また、処理フローとしては、図１に示すフローに限らず、他の任意のフローを採用可能である。例えば、水位センサと、水位センサによって特定される水位に応じて制御される移送ポンプと、を有する流量調整槽が設けられても良い。また、家庭からの排水に限らず、産業排水を処理する排水処理装置を採用してもよい。
【００８１】
いずれの場合も、開口縁部から突出する突出部を有する仕切壁は、夾雑物除去槽８１０と嫌気濾床槽８２０とを仕切る壁に限らず、他の任意の２つの水処理槽の間を仕切る壁に適用可能である。例えば、図３の仕切壁８０３が、移流開口８２４の縁から接触濾床槽８３０側に突出する突出部を有していても良い。
【００８２】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【００８３】
１００ｄ、１００ｕ...フランジ、２００ｄ、２００ｕ...主壁部、２１０ｄ、２１０ｕ...第１凸部、２１２...第１部分、２１４...内部分、２１６...第２部分、２２０ｄ、２２０ｕ...第２凸部、８００...排水処理装置、８０１...外壁（槽本体）、８０１ｄ...下部槽、８０１ｓ...内面、８０１ｕ...上部槽、８０２...流入口、８０３...仕切壁、８０４...放流口、８０５...マンホール開口、８１０...夾雑物除去槽、８１２...流入バッフル、８１２ｄ...下端、８１４...移流開口、８１４ｄ...下端、８１４ｕ...上端、８２０...嫌気濾床槽、８２２...濾材、８２４...移流開口、８３０...接触濾床槽、８３２...第１接触材、８３３...第２接触材、８３４...散気装置、８３６...移流開口、８４０...処理水槽、８４２...第２側壁部、８４２ｄ...傾斜部、８４３...第３側壁部、８４３ｅ...接続部分、８４４...第４側壁部、８４４ｅ...接続部分、８４９...ホッパー部分、８４９Ｌ...下部分、８５０...消毒槽、８５４...薬剤筒、８６０...循環エアリフトポンプ、８６１...第１移流管、８６２...吸入口、８６３...第２移流管、８６４...流出口、８７０...放流エアリフトポンプ、８７２...吸入口、８７４...流出口、９００、９００Ｂ...仕切壁、９１０、９１０Ｂ...主壁部、９１０ｅ...端部、９３０、９３０Ｂ...外周突出部、９３１...第１部分、９３１ｅ...端部、９３２...第２部分、９３９、９３９Ｂ...突出部、９９０...凹部、９９０Ｂ...貫通孔（移流開口）、９９０Ｂｄ...下端、９９０Ｂｕ...上端、９９２、９９２Ｂ...開口縁部、２１４ｅ１、２１４ｅ２...端部、８４２ｅ１、８４２ｅ２...端部、８０３ｅ１...端、ＷＬ...水面（水位）、ＬＷＬ...低水位、ＨＷＬ...高水位、ＬＶ...第１長、ＬＨ...第２長、ＰＥ１...第１部分説明図、ＰＥ２...第２部分説明図、
【図１】
0006548395.tif 000002
【図２】
0006548395.tif 000003
【図３】
0006548395.tif 000004
【図４】
0006548395.tif 000005
【図５】
0006548395.tif 000006
【図６】
0006548395.tif 000007
【図７】
0006548395.tif 000008
【図８】
0006548395.tif 000009
【図９】
0006548395.tif 000010
【図１０】
0006548395.tif 000011
【図１１】
0006548395.tif 000012